(57)【要約】【課題】コンテンツ提供状態を車載端末装置に反映させてユーザの操作性を向上すること。【解決手段】車載端末装置１のハードディスク３０に各コンテンツプロバイダとの契約状態を契約管理テーブル３５として記憶する。また、車外のサーバに、各コンテンツプロバイダにおけるコンテンツ提供サービスの実施状態、および各車載端末の契約状態を記憶させる。さらに、車載端末装置１の整合処理部２５は、携帯電話１１やＤＣＭ１２を用いて車外のサーバと通信し、契約管理テーブル３５の内容がサーバ側の記憶内容と一致するか否か判定する。その結果、不一致である場合には、契約管理テーブル３５の内容を変更してサーバ側の記憶内容と一致させる。【選択図】        図１
2006293816.tif 000002
【特許請求の範囲】
【請求項１】
音声出力および／または表示出力を含むコンテンツデータを車両乗員に提供するコンテンツ提供システムであって、
前記コンテンツデータを使用可能な状態とするために必要なデータをサーバから車載端末に送信する通信手段と、
前記コンテンツデータの提供者であるコンテンツ提供者と前記車載端末との契約状態を車載端末側で管理する車載端末側契約管理手段と、
前記コンテンツ提供者と前記車載端末との契約状態をサーバ側で管理するサーバ側契約管理手段と、
前記車載端末側契約管理手段が記憶した契約状態と、前記サーバ側契約管理手段が記憶した契約状態とを一致させる整合処理手段と、
を備えたことを特徴とするコンテンツ提供システム。
【請求項２】
前記整合処理手段は、前記車載端末側契約管理手段が記憶した契約状態と前記サーバ側契約管理手段が記憶した契約状態とが不一致である場合に、前記サーバ側契約管理手段の記憶内容に合わせて前記車載端末側契約管理手段の記憶内容を変更することを特徴とする請求項１に記載のコンテンツ提供システム。
【請求項３】
前記車載端末側契約管理手段および前記サーバ側契約管理手段は、前記車載端末が複数のコンテンツ提供者と個別に結んだ複数の契約の状態を管理することを特徴とする請求項１または２に記載のコンテンツ提供システム。
【請求項４】
前記車載端末側契約管理手段が記憶する契約状態と前記サーバ側契約管理手段が記憶する契約内容との一致を、前記コンテンツデータを使用可能な状態とするための条件とすることを特徴とする請求項１，２または３に記載のコンテンツ提供システム。
【請求項５】
前記コンテンツデータは音楽データであることを特徴とする請求項１〜４のいずれか一つに記載のコンテンツ提供システム。
【請求項６】
前記通信手段は、前記コンテンツデータ自体を送信することを特徴とする請求項１〜５のいずれか一つに記載のコンテンツ提供システム。
【請求項７】
前記コンテンツデータは暗号化されて予め車載端末に記憶され、前記通信手段は、復号用データを送信することを特徴とする請求項１〜６のいずれか一つに記載のコンテンツ提供システム。
【請求項８】
音声出力および／または表示出力を含むコンテンツデータを車両乗員に提供する車載端末装置であって、
前記コンテンツデータを使用可能な状態とするために必要なデータをサーバから受信する受信手段と、
前記コンテンツデータの提供者であるコンテンツ提供者と前記車載端末との契約状態を車載端末側で管理する車載端末側契約管理手段と、
前記車載端末側契約管理手段が記憶した契約状態と、前記サーバ側で記憶した契約状態とを一致させる整合処理手段と、
を備えたことを特徴とする車載端末装置。
【請求項９】
前記整合処理手段は、前記車載端末側契約管理手段が記憶した契約状態と前記サーバ側で記憶した契約状態とが不一致である場合に、前記サーバ側の記憶内容に合わせて前記車載端末側契約管理手段の記憶内容を変更することを特徴とする請求項８に記載の車載端末装置。
【請求項１０】
前記車載端末側契約管理手段は、複数のコンテンツ提供者と個別に結んだ複数の契約の状態を管理することを特徴とする請求項８または９に記載の車載端末装置。
【請求項１１】
前記車載端末側契約管理手段が記憶する契約状態と前記サーバ側で記憶した契約内容との一致を、前記コンテンツデータを使用可能な状態するための条件とすることを特徴とする請求項８，９または１０に記載の車載端末装置。
【請求項１２】
前記コンテンツデータは音楽データであることを特徴とする請求項８〜１１のいずれか一つに記載の車載端末装置。
【請求項１３】
前記受信手段は、前記コンテンツデータ自体を受信することを特徴とする請求項８〜１２のいずれか一つに記載の車載端末装置。
【請求項１４】
暗号化された前記コンテンツデータを予め保持する暗号化コンテンツデータ保持手段をさらに備え、前記受信手段は復号用データを受信することを特徴とする請求項８〜１３のいずれか一つに記載の車載端末装置。
【請求項１５】
前記コンテンツ提供者がコンテンツデータの提供を終了した場合に、当該提供の終了を乗員に通知する通知手段をさらに備えたこと特徴とする請求項８〜１４のいずれか一つに記載の車載端末装置。
【請求項１６】
前記コンテンツ提供者がコンテンツデータの提供を終了した場合に、当該提供が終了したコンテンツデータに関する入出力を制限する入出力制御手段をさらに備えたことを特徴とする請求項８〜１５のいずれか一つに記載の車載端末装置。
【発明の詳細な説明】
【技術分野】
【０００１】
この発明は、音声出力および／または表示出力を含むコンテンツデータを車両乗員に提供するコンテンツ提供システムおよび車載端末装置に関し、特にユーザの操作性を向上したコンテンツ提供システムおよび端末装置に関する。
【背景技術】
【０００２】
従来、車両にはラジオなどの放送を受信する、カセットテープやＣＤなどの記録媒体に記録した音楽データを再生する、など車両乗員に娯楽を提供する機能が搭載されてきた。そして近年では、車外のサーバとの通信を利用して車両乗員が所望の情報や音楽データなどを取得することが可能となっている（例えば特許文献１参照。）。
【０００３】
【特許文献１】特開２００４−３１８７２８号公報
【発明の開示】
【発明が解決しようとする課題】
【０００４】
車外との通信を利用して所望のコンテンツを取得する場合、かかるコンテンツの提供者（コンテンツプロバイダ）との契約が必要となることが多い。このコンテンツプロバイダとの契約は、車両に搭載された車載装置側で記憶・管理しているのであるが、コンテンツ提供者側においてコンテンツ提供サービスの終了や、提供形態の変更などが生じた場合には、その変化を車載端末装置側に反映することができなかった。
【０００５】
そのため、例えばユーザがコンテンツの購入を試みた場合に初めてそのコンテンツの提供が既に終了していることに気付く、など不要な操作が発生することがあるという問題点があった。特に車載装置では、運転操作に支障を与えない、簡便な操作で所望の処理を実現することが求められるので、かかる問題の解消が重要な課題であった。
【０００６】
本発明は、上述した従来技術における問題点を解消し、課題を解決するためになされたものであり、コンテンツ提供状態を車載端末装置に反映させ、もってユーザの操作性を向上したコンテンツ提供システムおよび車載端末装置を提供することを目的とする。
【課題を解決するための手段】
【０００７】
上述した課題を解決し、目的を達成するため、請求項１の発明に係るコンテンツ提供システムは、音声出力および／または表示出力を含むコンテンツデータを車両乗員に提供するコンテンツ提供システムであって、前記コンテンツデータを使用可能な状態とするために必要なデータをサーバから車載端末に送信する通信手段と、前記コンテンツデータの提供者であるコンテンツ提供者と前記車載端末との契約状態を車載端末側で管理する車載端末側契約管理手段と、前記コンテンツ提供者と前記車載端末との契約状態をサーバ側で管理するサーバ側契約管理手段と、前記車載端末側契約管理手段が記憶した契約状態と、前記サーバ側契約管理手段が記憶した契約状態とを一致させる整合処理手段と、を備えたことを特徴とする。
【０００８】
この請求項１の発明によればコンテンツ提供システムは、コンテンツデータの提供者であるコンテンツ提供者と車載端末との契約状態を車載端末側とサーバ側とでそれぞれ管理し、その内容を一致させる。
【０００９】
また、請求項２の発明に係るコンテンツ提供システムは、請求項１の発明において、前記整合処理手段は、前記車載端末側契約管理手段が記憶した契約状態と前記サーバ側契約管理手段が記憶した契約状態とが不一致である場合に、前記サーバ側契約管理手段の記憶内容に合わせて前記車載端末側契約管理手段の記憶内容を変更することを特徴とする。
【００１０】
この請求項２の発明によればコンテンツ提供システムは、コンテンツデータの提供者であるコンテンツ提供者と車載端末との契約状態を車載端末側とサーバ側とでそれぞれ管理してその内容を比較し、不一致である場合にはサーバ側の記憶内容に合わせて車載端末側の記憶内容を変更する。
【００１１】
また、請求項３の発明に係るコンテンツ提供システムは、請求項１または２の発明において、前記車載端末側契約管理手段および前記サーバ側契約管理手段は、前記車載端末が複数のコンテンツ提供者と個別に結んだ複数の契約の状態を管理することを特徴とする。
【００１２】
この請求項３の発明によればコンテンツ提供システムは、複数のコンテンツ提供者と車載端末との契約状態を車載端末側とサーバ側とでそれぞれ管理し、その内容を一致させる。
【００１３】
また、請求項４の発明に係るコンテンツ提供システムは、請求項１，２または３の発明において、前記車載端末側契約管理手段が記憶する契約状態と前記サーバ側契約管理手段が記憶する契約内容との一致を、前記コンテンツデータを使用可能な状態とするための条件とすることを特徴とする。
【００１４】
この請求項４の発明によればコンテンツ提供システムは、コンテンツデータの提供者であるコンテンツ提供者と車載端末との契約状態を車載端末側とサーバ側とでそれぞれ管理し、その内容が一致した場合にのみコンテンツデータを使用可能な状態とする。
【００１５】
また、請求項５の発明に係るコンテンツ提供システムは、請求項１〜４のいずれか一つの発明において、前記コンテンツデータは音楽データであることを特徴とする。
【００１６】
この請求項５の発明によればコンテンツ提供システムは、音楽データの提供者であるコンテンツ提供者と車載端末との契約状態を車載端末側とサーバ側とでそれぞれ管理し、その内容を一致させる。
【００１７】
また、請求項６の発明に係るコンテンツ提供システムは、請求項１〜５のいずれか一つの発明において、前記通信手段は、前記コンテンツデータ自体を送信することを特徴とする。
【００１８】
この請求項６の発明によればコンテンツ提供システムは、コンテンツデータの提供者であるコンテンツ提供者と車載端末との契約状態を車載端末側とコンテンツデータ送信サーバ側とでそれぞれ管理し、その内容を一致させる。
【００１９】
また、請求項７の発明に係るコンテンツ提供システムは、請求項１〜６のいずれか一つの発明において、前記コンテンツデータは暗号化されて予め車載端末に記憶され、前記通信手段は、復号用データを送信することを特徴とする。
【００２０】
この請求項７の発明によればコンテンツ提供システムは、コンテンツデータの提供者であるコンテンツ提供者と車載端末との契約状態を車載端末側と復号用データ送信サーバ側とでそれぞれ管理し、その内容を一致させる。
【００２１】
また、請求項８の発明に係る車載端末装置は、音声出力および／または表示出力を含むコンテンツデータを車両乗員に提供する車載端末装置であって、前記コンテンツデータを使用可能な状態とするために必要なデータをサーバから受信する受信手段と、前記コンテンツデータの提供者であるコンテンツ提供者と前記車載端末との契約状態を車載端末側で管理する車載端末側契約管理手段と、前記車載端末側契約管理手段が記憶した契約状態と、前記サーバ側で記憶した契約状態とを一致させる整合処理手段と、を備えたことを特徴とする。
【００２２】
この請求項８の発明によれば車載端末装置は、コンテンツ提供者との契約状態を管理し、その契約状態とサーバ側で記憶した契約状態とを一致させる。
【００２３】
また、請求項９の発明に係る車載端末装置は、請求項８の発明において、前記整合処理手段は、前記車載端末側契約管理手段が記憶した契約状態と前記サーバ側で記憶した契約状態とが不一致である場合に、前記サーバ側の記憶内容に合わせて前記車載端末側契約管理手段の記憶内容を変更することを特徴とする。
【００２４】
この請求項９の発明によれば車載端末装置は、コンテンツ提供者との契約状態を管理し、その契約状態とサーバ側で記憶した契約状態とが不一致である場合に、サーバ側の記憶内容に合わせて変更を行なう。
【００２５】
また、請求項１０の発明に係る車載端末装置は、請求項８または９の発明において、前記車載端末側契約管理手段は、複数のコンテンツ提供者と個別に結んだ複数の契約の状態を管理することを特徴とする。
【００２６】
この請求項１０の発明によれば車載端末装置は、複数のコンテンツ提供者との契約状態を管理し、その契約状態とサーバ側で記憶した契約状態とを一致させる。
【００２７】
また、請求項１１の発明に係る車載端末装置は、請求項８，９または１０の発明において、前記車載端末側契約管理手段が記憶する契約状態と前記サーバ側で記憶した契約内容との一致を、前記コンテンツデータを使用可能な状態するための条件とすることを特徴とする。
【００２８】
この請求項１１の発明によれば車載端末装置は、コンテンツ提供者との契約状態を管理し、その契約状態とサーバ側で記憶した契約状態とが一致した場合にのみコンテンツデータを使用可能な状態とする。
【００２９】
また、請求項１２の発明に係る車載端末装置は、請求項８〜１１のいずれか一つの発明において、前記コンテンツデータは音楽データであることを特徴とする。
【００３０】
この請求項１２の発明によれば車載端末装置は、音楽データを提供するコンテンツ提供者との契約状態を管理し、その契約状態とサーバ側で記憶した契約状態とを一致させる。
【００３１】
また、請求項１３の発明に係る車載端末装置は、請求項８〜１２のいずれか一つの発明において、前記受信手段は、前記コンテンツデータ自体を受信することを特徴とする。
【００３２】
この請求項１３の発明によれば車載端末装置は、コンテンツ提供者との契約状態を管理し、その契約状態とコンテンツデータ送信サーバ側で記憶した契約状態とを一致させる。
【００３３】
また、請求項１４の発明に係る車載端末装置は、請求項８〜１３のいずれか一つの発明において、暗号化された前記コンテンツデータを予め保持する暗号化コンテンツデータ保持手段をさらに備え、前記受信手段は復号用データを受信することを特徴とする。
【００３４】
この請求項１４の発明によれば車載端末装置は、コンテンツ提供者との契約状態を管理し、その契約状態と復号用データ送信サーバ側で記憶した契約状態とを一致させる。
【００３５】
また、請求項１５の発明に係る車載端末装置は、請求項８〜１４のいずれか一つの発明において、前記コンテンツ提供者がコンテンツデータの提供を終了した場合に、当該提供の終了を乗員に通知する通知手段をさらに備えたこと特徴とする。
【００３６】
この請求項１５の発明によれば車載端末装置は、コンテンツ提供者との契約状態を管理してその契約状態とサーバ側で記憶した契約状態とを一致させるとともに、コンテンツサービスの提供終了の判明時に乗員に通知を行なう。
【００３７】
また、請求項１６の発明に係る車載端末装置は、請求項８〜１５のいずれか一つの発明において、前記コンテンツ提供者がコンテンツデータの提供を終了した場合に、当該提供が終了したコンテンツデータに関する入出力を制限する入出力制御手段をさらに備えたことを特徴とする。
【００３８】
この請求項１６の発明によれば車載端末装置は、コンテンツ提供者との契約状態を管理してその契約状態とサーバ側で記憶した契約状態とを一致させるとともに、提供が終了したコンテンツデータに関する入出力を制御する。
【発明の効果】
【００３９】
請求項１の発明によればコンテンツ提供システムは、コンテンツデータの提供者であるコンテンツ提供者と車載端末との契約状態を車載端末側とサーバ側とでそれぞれ管理し、その内容を一致させるので、コンテンツ提供状態を車載端末装置に反映させ、もってユーザの操作性を向上したコンテンツ提供システムを得ることができるという効果を奏する。
【００４０】
また、請求項２の発明によればコンテンツ提供システムは、コンテンツデータの提供者であるコンテンツ提供者と車載端末との契約状態を車載端末側とサーバ側とでそれぞれ管理してその内容を比較し、不一致である場合にはサーバ側の記憶内容に合わせて車載端末側の記憶内容を変更するので、サーバが記憶したコンテンツ提供状態を車載端末装置に反映させ、もってユーザの操作性を向上したコンテンツ提供システムを得ることができるという効果を奏する。
【００４１】
また、請求項３の発明によればコンテンツ提供システムは、複数のコンテンツ提供者と車載端末との契約状態を車載端末側とサーバ側とでそれぞれ管理し、その内容を一致させるので、複数のコンテンツプロバイダによるコンテンツ提供状態を車載端末装置に反映させ、もってユーザの操作性を向上したコンテンツ提供システムを得ることができるという効果を奏する。
【００４２】
また、請求項４の発明によればコンテンツ提供システムは、コンテンツデータの提供者であるコンテンツ提供者と車載端末との契約状態を車載端末側とサーバ側とでそれぞれ管理し、その内容が一致した場合にのみコンテンツデータを使用可能な状態とするので、コンテンツ提供状態を車載端末装置に反映させ、もって不要な操作を減少するコンテンツ提供システムを得ることができるという効果を奏する。
【００４３】
また、請求項５の発明によればコンテンツ提供システムは、音楽データの提供者であるコンテンツ提供者と車載端末との契約状態を車載端末側とサーバ側とでそれぞれ管理し、その内容を一致させるので、音楽コンテンツの提供状態を車載端末装置に反映させ、もってユーザの操作性を向上したコンテンツ提供システムを得ることができるという効果を奏する。
【００４４】
また、請求項６の発明によればコンテンツ提供システムは、コンテンツデータの提供者であるコンテンツ提供者と車載端末との契約状態を車載端末側とコンテンツデータ送信サーバ側とでそれぞれ管理し、その内容を一致させるので、コンテンツ提供状態を車載端末装置に反映させ、もってコンテンツデータのダウンロードにかかる操作性を向上したコンテンツ提供システムを得ることができるという効果を奏する。
【００４５】
また、請求項７の発明によればコンテンツ提供システムは、コンテンツデータの提供者であるコンテンツ提供者と車載端末との契約状態を車載端末側と復号用データ送信サーバ側とでそれぞれ管理し、その内容を一致させるので、コンテンツ提供状態を車載端末装置に反映させ、もって復号用データ取得時の操作性を向上したコンテンツ提供システムを得ることができるという効果を奏する。
【００４６】
また、請求項８の発明によれば車載端末装置は、コンテンツ提供者との契約状態を管理し、その契約状態とサーバ側で記憶した契約状態とを一致させるので、コンテンツ提供状態を反映し、もってユーザの操作性を向上する車載端末装置を得ることができるという効果を奏する。
【００４７】
また、請求項９の発明によれば車載端末装置は、コンテンツ提供者との契約状態を管理し、その契約状態とサーバ側で記憶した契約状態とが不一致である場合に、サーバ側の記憶内容に合わせて変更を行なうので、サーバ側が記憶したコンテンツ提供状態を反映し、もってユーザの操作性を向上する車載端末装置を得ることができるという効果を奏する。
【００４８】
また、請求項１０の発明によれば車載端末装置は、複数のコンテンツ提供者との契約状態を管理し、その契約状態とサーバ側で記憶した契約状態とを一致させるので、複数のコンテンツプロバイダによるコンテンツ提供状態を反映し、もってユーザの操作性を向上する車載端末装置を得ることができるという効果を奏する。
【００４９】
また、請求項１１の発明によれば車載端末装置は、コンテンツ提供者との契約状態を管理し、その契約状態とサーバ側で記憶した契約状態とが一致した場合にのみコンテンツデータを使用可能な状態とするので、コンテンツ提供状態を反映し、もって不要な操作を減少させる車載端末装置を得ることができるという効果を奏する。
【００５０】
また、請求項１２の発明によれば車載端末装置は、音楽データを提供するコンテンツ提供者との契約状態を管理し、その契約状態とサーバ側で記憶した契約状態とを一致させるので、サーバ側が記憶した音楽コンテンツの提供状態を反映し、もってユーザの操作性を向上する車載端末装置を得ることができるという効果を奏する。
【００５１】
また、請求項１３の発明によれば車載端末装置は、コンテンツ提供者との契約状態を管理し、その契約状態とコンテンツデータ送信サーバ側で記憶した契約状態とを一致させるので、コンテンツ提供状態を反映し、もってコンテンツデータ取得時の操作性を向上する車載端末装置を得ることができるという効果を奏する。
【００５２】
また、請求項１４の発明によれば車載端末装置は、コンテンツ提供者との契約状態を管理し、その契約状態と復号用データ送信サーバ側で記憶した契約状態とを一致させるので、コンテンツ提供状態を反映し、もって復号用データ取得時の操作性を向上する車載端末装置を得ることができるという効果を奏する。
【００５３】
また、請求項１５の発明によれば車載端末装置は、コンテンツ提供者との契約状態を管理してその契約状態とサーバ側で記憶した契約状態とを一致させるとともに、コンテンツサービスの提供終了の判明時に乗員に通知を行なうので、コンテンツ提供状態を反映し、ユーザへの通知によって操作性を向上する車載端末装置を得ることができるという効果を奏する。
【００５４】
また、請求項１６の発明によれば車載端末装置は、コンテンツ提供者との契約状態を管理してその契約状態とサーバ側で記憶した契約状態とを一致させるとともに、提供が終了したコンテンツデータに関する入出力を制御するので、コンテンツ提供状態を反映し、入出力制御によってユーザの操作性を向上する車載端末装置を得ることができるという効果を奏する。
【発明を実施するための最良の形態】
【００５５】
以下に添付図面を参照して、この発明に係るコンテンツ提供システムおよび車載端末装置の好適な実施例について詳細に説明する。
【実施例】
【００５６】
図１は、本発明の実施の形態である車載端末装置１の概要構成を示す概要構成図である。また、図２は、本発明の実施の形態にかかるコンテンツ提供システムの概要を説明する説明図である。
【００５７】
図２に示すように、車両に搭載された車載端末装置１は、サーバ４０との通信を利用し、複数のコンテンツプロバイダ（コンテンツプロバイダＡ〜Ｃ）が提供するコンテンツデータである楽曲データを再生可能とする。
【００５８】
楽曲データの取得方法は、サーバ４０との通信によって楽曲データ自体を取得（ダウンロード）する方法と、予め車両側に暗号化された楽曲データを記憶させておき、復号用のキーデータであるライセンスキーをサーバ４０との通信によって取得する方法とを用いることができる。
【００５９】
図１に示すように、車載端末装置１はその内部に携帯電話１１、ＤＣＭ（Data Communication Module）１２、スピーカ１３、ディスプレイ１４、タッチパネル１５、主制御部２０およびハードディスク３０を有する。
【００６０】
携帯電話１１およびＤＣＭ１２は、図２に示すサーバ４０との通信を行なう通信手段である。携帯電話１１は、単独で携帯電話端末として機能するが、ここでは車載端末装置１に接続されて車載端末装置１とサーバ４０との通信に使用される。また、ＤＣＭ１２は、車載端末装置２０に内蔵された専用の通信手段である。
【００６１】
スピーカ１３は車室の乗員に対する音声出力を、ディスプレイ１４は車室の乗員に対する表示出力をそれぞれ行なう出力手段である。また、タッチパネル１５は、乗員（ユーザ）からの操作入力を受け付ける入力手段である。このスピーカ１３、ディスプレイ１４およびタッチパネル１５は、ナビゲーション装置など他の車載装置と共用することができる。
【００６２】
主制御部２０は、車載端末装置１を全体制御する制御部であり、その内部に保存処理部２１、選曲処理部２２、表示処理部２３、契約処理部２４および整合処理部２５を有する。保存処理部２１は、サーバ４０との通信によって取得した楽曲データやライセンスキーをハードディスク３０に保存する処理を行なう。
【００６３】
選曲処理部２２は、ユーザの操作に基づいて再生する楽曲データを選択し、再生を実行する処理部である。さらに表示制御部２３は、ディスプレイ１４に表示する表示内容を制御する処理をおこなう。
【００６４】
契約処理部２４は、サーバ４０との通信を介してコンテンツプロバイダとの契約を行なう処理部である。この契約は、各プロバイダと個別に行なう。また、契約の形態には、そのプロバイダが提供するコンテンツ全て（もしくは全コンテンツの所定量）から任意のコンテンツを回数制限なく定額で利用可能な定額契約と、所望のコンテンツを使用する時点でそのコンテンツに対する課金を行なう（もしくは予め購入したチケットを消費する）個別購入契約とがある。
【００６５】
そのため、ユーザはコンテンツプロバイダごとに「定額契約」を結ぶか否かを選択することができ、定額契約を結んでいないコンテンツプロバイダが提供するコンテンツデータについても「個別購入契約」によって利用することが可能である。
【００６６】
また、契約処理部２４は、各コンテンツプロバイダとの契約状態をハードディスク３０に契約管理テーブル３５として保存する。同様に、サーバ４０は、各コンテンツプロバイダにおけるコンテンツ提供サービスの実施状態、および各車載端末の契約状態を契約管理テーブル４１として保存している。整合処理部２５は、この車載端末装置側の契約管理テーブル３５をサーバ側の契約管理テーブルに合わせることで整合性を保つ処理を行なう。
【００６７】
ハードディスク３０は、各種データを記憶する記憶手段であり、具体的には楽曲管理テーブル３１、コンテンツデータ３２、ダウンロードデータ３３、ライセンスキー３４、契約管理テーブル３５などを記憶する。
【００６８】
楽曲管理テーブル３１は、ユーザによって選択可能な楽曲データを示すテーブルであり、選曲処理部２２はこの楽曲管理テーブル３１を参照して選曲処理を行なう。また、コンテンツデータ３２は、各コンテンツプロバイダが提供するコンテンツを予め記憶したデータである。
【００６９】
このコンテンツデータ３２は、コンテンツプロバイダＡから提供を受けたデータ３２ａ、コンテンツプロバイダＢから提供を受けたデータ３２ｂなど、コンテンツプロバイダごとにデータを有する。
【００７０】
データ３２ａは、コンテンツプロバイダＡが提供する楽曲を暗号化した暗号楽曲データと、その楽曲の曲名や歌手などの情報を示す歌本データとを有する。同様に、データ３２ｂは、コンテンツプロバイダＢが提供する楽曲を暗号化した暗号楽曲データと、その楽曲の曲名や歌手などの情報を示す歌本データとを有する。
【００７１】
ユーザは、例えばコンテンツプロバイダＡと定額契約を結ぶと、データ３２ａの歌本データに示された楽曲の全てが使用可能となる。楽曲データの再生時には、暗号化されたデータの復号に必要なライセンスキーをサーバ４０との通信によって取得する。そして一旦取得した後は、ライセンスキー３４としてハードディスク３０の内部に保存するので、同一の楽曲データを繰り返して再生する場合には、サーバ４０との通信は不要となる。
【００７２】
一方、「個別購入契約」によって取得した（ダウンロードした）楽曲データは暗号化されていない平文のデータであるので、そのまま再生可能である。また、一旦ダウンロードした楽曲データは、ダウンロードデータ３３として保存されるので、同一の楽曲データを繰り返して再生する場合には、サーバ４０との通信は不要となる。
【００７３】
このコンテンツプロバイダとの契約状態を記憶した契約管理テーブルの具体例を図３に示す。図３−１は、車載装置端末１がハードディスク３０に記憶した契約管理テーブル３５の具体例であり、図３−２は、サーバ４０が記憶した契約管理テーブル４０の具体例である。
【００７４】
契約管理テーブル３５は、車載端末装置１が各コンテンツプロバイダとどのような契約状態にあるかを示す。図３−１では、具体的にはコンテンツプロバイダＡと「定額契約」を結んでおり、コンテンツプロバイダＢ，Ｄ，Ｅと「個別購入契約」を結んでいること、さらにコンテンツプロバイダＣとは契約を結んでいないこと、を示している。
【００７５】
一方、サーバ４０側の契約管理テーブル４１は、各コンテンツプロバイダにおけるコンテンツ提供サービスの実施状態、および各車載端末の契約状態を示す。図３−２では、コンテンツプロバイダＡ〜Ｄについて「サービス提供中」、コンテンツプロバイダＥについて「サービス提供終了」を示している。
【００７６】
さらに、契約管理テーブル４０では、車載端末装置を端末ＩＤなどによって特定し、各車載端末装置の契約状態を管理している。図３−２では、車載端末装置１の契約状態として、コンテンツプロバイダＡと「定額契約」、コンテンツプロバイダＢ，Ｄと「個別購入契約」をそれぞれ結んでいること、コンテンツプロバイダＣとは契約を結んでいないことを示している。また、サービス実施状態が示したように、コンテンツプロバイダＥはサービスの提供を終了しているので、コンテンツプロバイダＥに対する契約状態は「サービス無し」としている。
【００７７】
ここで、図３−１に示した端末側の契約管理テーブル３５では、コンテンツプロバイダＥとの契約状態が「個別購入契約」となっているが、実際にはコンテンツプロバイダＥによるコンテンツ提供サービスは既に終了しているのでサーバ側の契約管理テーブル４１では「サービス無し」となっている。
【００７８】
このような契約管理テーブルの内容の不一致が生じた場合には、整合処理部２５は、車載端末装置側の契約管理テーブル３５をサーバ側の契約管理テーブルに合わせ、契約管理テーブル３５の内容を変更して整合性を保つ。
【００７９】
なお、整合処理部２５による整合性の確認、すなわちサーバ側の契約管理テーブル４０の内容の取得は、携帯電話１１やＤＣＭ１２による通信を用い、任意のタイミングで実行することが可能である。特に、車載端末装置１が他の目的でサーバ４０との通信を行なった場合に併せて整合性の確認を行なうことが好適である。
【００８０】
このようにサーバ４０に各コンテンツプロバイダにおけるコンテンツ提供サービスの実施状態、および各車載端末の契約状態を記憶させ、車載端末装置１と整合性を取ることで、例えばユーザがコンテンツの購入を試みた場合に初めてそのコンテンツの提供が既に終了していることに気付く、など不要な操作が発生することを防ぐことができる。
【００８１】
つづいて、「定額契約」による楽曲データの再生と「個別購入契約」による楽曲の再生について説明する。図４は、定額契約による楽曲データの再生の処理動作を説明する説明図である。
【００８２】
同図に示すように、定額契約では、まず契約処理部２４がサーバ４０を介してコンテンツプロバイダとの定額契約を結ぶ（ステップＳ１０１）。そして定額契約を結んだ後は、ユーザがコンテンツプロバイダの選択処理（ステップＳ１０２）を行なった場合に当該コンテンツプロバイダが提供する楽曲から再生する楽曲を選択させ、その楽曲のライセンスキーを取得する（ステップＳ１０３）。
【００８３】
そして、ハードディスク３０内の暗号化された楽曲データを、取得したライセンスキーによって復号して再生する（ステップＳ１０４）。なお、ライセンスキーの取得は、サーバ４０との通信を介して行なう。また、過去の再生時にライセンスキーを取得した楽曲であればハードディスク４０内のライセンスキー３４を使用する。
【００８４】
このステップＳ１０２からステップＳ１０４までの処理がユーザ操作に基づく再生処理フローであり、通常のルーチンに含まれる。その後、ユーザが定額契約の解約を指示した場合には、契約処理部２４がサーバ４０との通信を介してコンテンツプロバイダとの解約処理を行なうとともに、当該コンテンツプロバイダから契約期間中に取得してハードディスク３０に保存したライセンスキー３４を全て破棄する（ステップＳ１０５）。
【００８５】
すなわち、定額契約では、契約期間中はハードディスクに予め格納した暗号化楽曲データを任意に再生することが可能であり、解約後には過去の再生実績に関わらず全て再生不可能となる。
【００８６】
つぎに、図５を参照し、個別購入契約による楽曲データの再生の処理動作について説明する。個別購入契約では、ます契約処理部２４がサーバ４０を介してコンテンツプロバイダとの個別購入契約を結ぶ（ステップＳ２０１）。そして個別購入契約を結んだ後は、ユーザがコンテンツプロバイダの選択処理（ステップＳ２０２）を行なった場合に当該コンテンツプロバイダが提供する楽曲から再生する楽曲を選択させ、その楽曲データをサーバ４０を介してダウンロードする（ステップＳ２０３）。
【００８７】
そして、ダウンロードした楽曲データのハードディスク３０への記録と再生を実行する（ステップＳ２０４）。なお、過去の再生時に既にダウンロードした楽曲であればハードディスク４０内のダウンロードデータ３３を使用する。このステップＳ２０２からステップＳ２０４までの処理が、個別購入契約中のユーザ操作に基づく再生処理フローであり、通常のルーチンに含まれる。
【００８８】
さらに、個別購入契約を解約（ステップＳ２０５）した後は、ユーザがコンテンツプロバイダの選択処理（ステップＳ２０６）を行なった場合に当該コンテンツプロバイダから個別購入契約中にダウンロードした楽曲から再生する楽曲を選択させ（ステップＳ２０７）、その楽曲データを再生する（ステップＳ２０８）。このステップＳ２０６からステップＳ２０８までの処理が、個別購入契約の解約後のユーザ操作に基づく再生処理フローとして通常のルーチンに含まれる。
【００８９】
すなわち、個別購入契約では、契約期間中にユーザが指定した楽曲のデータを直接ダウンロードして使用する。そしてこのダウンロードに対して課金（もしくはチケットの消費）が発生し、一旦ダウンロードした後は自由に使用することができる。
【００９０】
そして、整合処理部２５による整合性の確認は、例えば契約時（ステップＳ１０１，２０１）、解約時（ステップＳ１０５，２０５）、ライセンスキーの取得時（ステップＳ１０３）、楽曲のダウンロード時（ステップＳ２０３）などに行なうことができる。
【００９１】
また、整合性が確認されたこと（車載端末装置側の契約管理テーブル３５とサーバ側の契約管理テーブル４１とが一致すること）を、ライセンスキーの取得や楽曲のダウンロードの条件としてもよい。
【００９２】
そして、ユーザが指定したコンテンツプロバイダがコンテンツ提供サービスを終了している場合などには、スピーカ１３を用いた音声通知、ディスプレイ１４を用いた表示通知によってユーザに通知する。図６は、ディスプレイ１４の表示出力によって、指定されたコンテンツプロバイダによるコンテンツ提供サービスが終了したことを通知する画面の一例である。
【００９３】
さらに、選曲処理部２２や表示処理部２３の制御によって、提供が不可能となったコンテンツに関する情報の表示を抑止する、表示態様を変更する、操作入力を抑止するなどを行なってもよい。
【００９４】
上述してきたように、本実施例にかかる車載端末装置１は、各コンテンツプロバイダとの契約状態をハードディスク３０に契約管理テーブル３５として記憶するとともに、整合処理部２５が、サーバ４０が記憶する契約管理テーブル４１との整合を取ることで、コンテンツ提供状態を車載端末装置に反映させ、もってユーザの操作性を向上することができる。
【００９５】
なお、本実施例では整合処理部２５を車載端末装置側に設け、車載端末側で整合を取る構成を例に説明を行ったが、本発明の利用はこれに限定されるものではなく、たとえばサーバ４０に整合処理部を設けるように構成しても良い。
【産業上の利用可能性】
【００９６】
以上のように、本発明にかかる車載端末装置は、車両乗員に対するコンテンツデータの提供に有用であり、特にユーザの操作性向上に適している。
【図面の簡単な説明】
【００９７】
【図１】本発明の実施例にかかる車載端末装置の概要構成を示す概要構成図である。
【図２】本発明の実施の形態にかかるコンテンツサービスシステムの概要を説明する説明図である。
【図３−１】車載端末装置側の契約管理テーブルについて説明する説明図である。
【図３−２】サーバ側の契約管理テーブルについて説明する説明図である。
【図４】定額契約による楽曲データの再生の処理動作を説明する説明図である。
【図５】個別購入契約による楽曲データの再生の処理動作について説明する説明図である。
【図６】ディスプレイによる表示出力について説明する説明図である。
【符号の説明】
【００９８】
１    車載端末装置
１１    携帯電話
１２    ＤＣＭ
１３    スピーカ
１４    ディスプレイ
１５    タッチパネル
２０    主制御部
２１    保存処理部
２２    選曲処理部
２３    表示処理部
２４    契約処理部
２５    整合処理部
３０    ハードディスク
３１    楽曲管理テーブル
３２    コンテンツデータ
３３    ダウンロードデータ
３４    ライセンスキー
３５    契約管理テーブル
【図１】
2006293816.tif 000003
【図２】
2006293816.tif 000004
【図３−１】
2006293816.tif 000005
【図３−２】
2006293816.tif 000006
【図４】
2006293816.tif 000007
【図５】
2006293816.tif 000008
【図６】
2006293816.tif 000009